(57)【要約】携帯情報端末の正規ユーザ以外のユーザによる携帯情報端末のアプリケーションに対する操作を制限するための操作を受け付け、携帯情報端末の正規ユーザであるか否かを認証し、正規ユーザであることが認証された場合、携帯情報端末のアプリケーションに対する操作を許容し、正規ユーザであることが認証されない場合、携帯情報端末のアプリケーションに対する操作を制限する。
2019163115.tif 000002
【特許請求の範囲】
【請求項１】
携帯情報端末の正規ユーザ以外のユーザによる前記携帯情報端末のアプリケーションに対する操作を制限するための操作を受け付け、
前記携帯情報端末の正規ユーザであるか否かを認証し、
前記正規ユーザであることが認証された場合、前記携帯情報端末のアプリケーションに対する操作を許容し、
前記正規ユーザであることが認証されない場合、前記携帯情報端末のアプリケーションに対する操作を制限する、
ことを特徴とする携帯情報端末の制御方法。
【請求項２】
前記制限するための操作として前記アプリケーションの指定を受け付け、
指定された前記アプリケーションを、前記正規ユーザおよび正規ユーザ以外の他のユーザが操作可能な指定アプリケーションとして登録し、
前記正規ユーザであることが認証された場合、登録された前記指定アプリケーションおよび前記指定アプリケーション以外のアプリケーションに対する操作を許容し、
前記正規ユーザであることが認証されない場合、登録された前記指定アプリケーションに対する操作を許容し、前記指定アプリケーション以外のアプリケーションに対する操作を制限する、
ことを特徴とする請求項１に記載の携帯情報端末の制御方法。
【請求項３】
実行中のアプリケーションを前記指定アプリケーションとして登録する、
ことを特徴とする請求項２に記載の携帯情報端末の制御方法。
【請求項４】
前記操作が前記指定アプリケーション以外のアプリケーションに対する操作であることを確認した場合、操作者に対して前記操作を許可する情報である指定アプリ外許可情報の入力を要求する、
ことを特徴とする請求項２に記載の携帯情報端末の制御方法。
【請求項５】
前記操作が前記指定アプリケーションに対する操作であることを確認した場合、前記操作が許可されたコマンドに基づく操作であることを確認し、
前記許可されたコマンドに基づく操作であることを確認した場合、当該コマンドに基づく処理を実行する、
ことを特徴とする請求項２に記載の携帯情報端末の制御方法。
【請求項６】
携帯情報端末の正規ユーザ以外のユーザによる前記携帯情報端末のアプリケーションに対する操作を制限するための操作を受け付ける操作入力部と、
前記携帯情報端末の正規ユーザであるか否かを認証するユーザ認証部と、
前記正規ユーザであることが認証された場合、前記携帯情報端末のアプリケーションに対する操作を許容し、前記正規ユーザであることが認証されない場合、前記携帯情報端末のアプリケーションに対する操作を制限するロック制御部と、
を備えることを特徴とする携帯情報端末。
【請求項７】
前記操作入力部は、前記制限するための操作として前記アプリケーションの指定を受け付け、
前記ロック制御部は、指定された前記アプリケーションを、前記正規ユーザおよび正規ユーザ以外の他のユーザが操作可能な指定アプリケーションとして登録し、前記正規ユーザであることが認証された場合、登録された前記指定アプリケーションおよび前記指定アプリケーション以外のアプリケーションに対する操作を許容し、前記正規ユーザであることが認証されない場合、登録された前記指定アプリケーションに対する操作を許容し、前記指定アプリケーション以外のアプリケーションに対する操作を制限する、
ことを特徴とする請求項６に記載の携帯情報端末。
【請求項８】
前記ロック制御部は、実行中のアプリケーションを前記指定アプリケーションとして登録する、
ことを特徴とする請求項７に記載の携帯情報端末。
【請求項９】
前記ロック制御部は、前記操作が前記指定アプリケーション以外のアプリケーションに対する操作であることを確認した場合、操作者に対して前記操作を許可する情報である指定アプリ外許可情報の入力を要求する、
ことを特徴とする請求項７に記載の携帯情報端末。
【請求項１０】
前記ロック制御部は、前記操作が前記指定アプリケーションに対する操作であることを確認した場合、前記操作が許可されたコマンドに基づく操作であることを確認し、前記許可されたコマンドに基づく操作であることを確認した場合、当該コマンドに基づく処理を実行する、
ことを特徴とする請求項７に記載の携帯情報端末。
【発明の詳細な説明】
【技術分野】
【０００１】
本発明は、携帯情報端末及びその制御方法に関する。
【背景技術】
【０００２】
スマートホンやタブレット端末等の携帯情報端末の普及が進んでいる。携帯情報端末は多くの個人情報を記憶可能であり、金銭取引や各種決済処理等の機能も備えている。このため、携帯情報端末を第三者に無断で使用された場合、個人情報流出被害や金銭的被害等を生じる可能性がある。【０００３】
前記被害防止のため、携帯情報端末は端末機能の制限を行う端末ロック機能を備えており、電源オン時やスリープ状態からの復帰時等に正規ユーザの認証を行ってから前記端末機能の制限を一時的に解除して操作可能とすることが一般的である。また、下記特許文献１のように、指紋認証処理により正規ユーザの認証を行ってコンピュータへログオンした後であっても、定期的な顔認証処理により正規ユーザの確認を繰り返し、照合が一致しなかった場合には自動的にコンピュータからログオフさせることにより、正規ユーザ以外による操作を制限してセキュリティを向上させる技術もある。
【先行技術文献】
【特許文献】
【０００４】
【特許文献１】特開２０１１−１３８５５号公報
【発明の概要】
【発明が解決しようとする課題】
【０００５】
スマートホンやタブレット端末等の携帯情報端末はカメラ機能を備えており、カメラ機能を用いて撮影した画像は携帯情報端末のストレージ部に記録される。携帯情報端末の正規ユーザがストレージ部に記録されている画像を友人等に披露したいと考えた場合、画像閲覧用アプリケーションを起動した状態で友人等に携帯情報端末を渡し、友人等に画像閲覧用アプリケーションを操作させることがある。【０００６】
この場合、携帯情報端末の正規ユーザは、友人等に対して、画像閲覧用アプリケーションの操作は許容するが、他の操作は許容したくない。即ち、携帯情報端末が前記端末ロック機能の他に指定アプリ外ロック機能を備え、前記指定アプリ外ロック機能により、正規ユーザが選択した所定のアプリケーション（前述の例では、画像閲覧用アプリケーション）の操作は全ての操作者に対して許容するが、他の操作に関しては正規ユーザが操作者の場合以外は制限するように、携帯情報端末が制御されると望ましい。しかしながら、前記特許文献１には、端末機能の一部の動作は操作者によらずに許容しつつ、端末機能の他の動作は操作者に応じて制限するような制御に関しては記述されていない。【０００７】
また、画面上に表示されている一つのアプリケーション以外は利用できないように制限するアクセスガイド機能を備える携帯情報端末がある。前記アクセスガイド機能を備える携帯情報端末では、画像閲覧用アプリケーションを起動した状態で前記アクセスガイド機能を使用することにより、画像閲覧用アプリケーション以外の操作を行えないように制限することが可能となる。しかしながら、前記アクセスガイド機能を使用している状態では、友人等のみならず携帯情報端末の正規ユーザであっても他の操作が制限される。他の操作を行うためには、操作者が携帯情報端末の正規ユーザであっても、認証処理を経て前記アクセスガイド機能の使用を終了させる必要があり、また、前記アクセスガイド機能の使用を終了させると、携帯情報端末の正規ユーザ以外であっても他の操作が可能となる等、望ましい使い勝手とは言えない。【０００８】
本発明の目的は、操作者に応じて端末機能を制限可能な携帯情報端末及びその制御方法を提供することである。
【課題を解決するための手段】
【０００９】
前記課題を解決するための手段として、特許請求の範囲に記載の技術を用いる。【００１０】
一例を挙げるならば、携帯情報端末の正規ユーザ以外のユーザによる前記携帯情報端末のアプリケーションに対する操作を制限するための操作を受け付け、前記携帯情報端末の正規ユーザであるか否かを認証し、前記正規ユーザであることが認証された場合、前記携帯情報端末のアプリケーションに対する操作を許容し、前記正規ユーザであることが認証されない場合、前記携帯情報端末のアプリケーションに対する操作を制限する、ことを特徴とする携帯情報端末の制御方法、を用いる。
【発明の効果】
【００１１】
本発明によれば、操作者に応じて端末機能を制限可能な携帯情報端末及びその制御方法を提供することができる。
【図面の簡単な説明】
【００１２】
【図１Ａ】実施例１の携帯情報端末のハードウェア構成図。
【図１Ｂ】実施例１の携帯情報端末の外観図。
【図１Ｃ】実施例１の携帯情報端末のソフトウェア構成図。
【図２Ａ】実施例１の携帯情報端末の動作状態遷移図。
【図２Ｂ】実施例１の携帯情報端末の端末ロック機能一時解除処理のフローチャート。
【図２Ｃ】実施例１のユーザ認証処理時のＰＩＮ入力画面の画面表示図。
【図２Ｄ】実施例１の通常動作状態におけるホーム画面の画面表示図。
【図３Ａ】実施例１の携帯情報端末の指定アプリ外ロック機能のフローチャート。
【図３Ｂ】実施例１の画像閲覧用アプリ実行画面の画面表示図。
【図３Ｃ】実施例１の指定アプリに対する操作指示の範囲を説明する操作概念図。
【図３Ｄ】実施例１の携帯情報端末の指定アプリ外ロック機能のフローチャート。
【図４】実施例１のＨＭＤ型携帯情報端末の外観図。
【図５】実施例２の携帯情報端末の指定アプリ外ロック機能のフローチャート。
【図６】実施例３の携帯情報端末の指定アプリ外ロック機能のフローチャート。
【図７】実施例４の携帯情報端末の指定アプリ外ロック機能のフローチャート。
【発明を実施するための形態】
【００１３】
以下、実施形態の例を、図面を用いて説明する。
【実施例１】
【００１４】
本実施例の携帯情報端末１００は、正規ユーザが選択した所定のアプリケーションの操作は全ての操作者に対して許容するが、他の操作に関しては正規ユーザが操作者の場合以外には適宜制限を行う、指定アプリ外ロック機能を備える。携帯情報端末１００は、携帯電話やスマートホン、タブレット端末等であって良い。ＰＤＡ（Ｐｅｒｓｏｎａｌ  Ｄｉｇｉｔａｌ  Ａｓｓｉｓｔａｎｔｓ）やノート型ＰＣ（Ｐｅｒｓｏｎａｌ  Ｃｏｍｐｕｔｅｒ）、電子ブックリーダ等であっても良い。また、デジタルスチルカメラや動画撮影可能なビデオカメラ、携帯型ゲーム機等、またはその他のデジタル機器であっても良い。【００１５】
［携帯情報端末のハードウェア構成例］
図１Ａは、携帯情報端末１００の内部構成の一例を示すハードウェア構成図である。携帯情報端末１００は、主制御部１０１、システムバス１０２、ＲＯＭ１０３、ＲＡＭ１０４、ストレージ部１１０、操作入力部１２０、画像処理部１３０、音声処理部１４０、センサ部１５０、通信部１６０、拡張インタフェース部１７０、で構成される。【００１６】
主制御部１０１は、所定の動作プログラムに従って携帯情報端末１００全体を制御するマイクロプロセッサユニットである。システムバス１０２は主制御部１０１と携帯情報端末１００内の各動作ブロックとの間で各種コマンドやデータの送受信を行うためのデータ通信路である。【００１７】
ＲＯＭ（Ｒｅａｄ  Ｏｎｌｙ  Ｍｅｍｏｒｙ）１０３は、オペレーティングシステムなどの基本動作プログラムやその他の動作プログラム（アプリケーション、以下同様）が格納されたメモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やフラッシュＲＯＭのような書き換え可能なＲＯＭが用いられる。ＲＡＭ（Ｒａｎｄｏｍ  Ａｃｃｅｓｓ  Ｍｅｍｏｒｙ）１０４は基本動作プログラムやその他の動作プログラム実行時のワークエリアとなる。ＲＯＭ１０３及びＲＡＭ１０４は主制御部１０１と一体構成であっても良い。また、ＲＯＭ１０３は、図１Ａに示したような独立構成とはせず、ストレージ部１１０内の一部記憶領域を使用するようにしても良い。【００１８】
ストレージ部１１０は、携帯情報端末１００の動作プログラムや動作設定値、携帯情報端末１００の正規ユーザの個人情報や認証情報等を記憶する。また、ネットワーク上からダウンロードした動作プログラムや前記動作プログラムで作成した各種データ等を記憶可能である。また、ネットワーク上からダウンロードした動画や静止画や音声等のコンテンツを記憶可能である。また、カメラ機能を使用して撮影した動画や静止画等を記憶可能である。ストレージ部１１０の一部領域を以ってＲＯＭ１０３の機能の全部または一部を代替しても良い。また、ストレージ部１１０は、携帯情報端末１００に外部から電源が供給されていない状態であっても記憶している情報を保持する必要がある。したがって、例えば、フラッシュＲＯＭやＳＳＤ（Ｓｏｌｉｄ  Ｓｔａｔｅ  Ｄｒｉｖｅ）などの半導体素子メモリ、ＨＤＤ（Ｈａｒｄ  Ｄｉｓｃ  Ｄｒｉｖｅ）などの磁気ディスクドライブ、等のデバイスが用いられる。【００１９】
なお、ＲＯＭ１０３やストレージ部１１０に記憶された前記各動作プログラムは、ネットワーク上の各サーバ装置からのダウンロード処理により更新及び機能拡張することが可能である。【００２０】
操作入力部１２０は、携帯情報端末１００に対する操作指示の入力を行う指示入力部である。操作入力部１２０は、ボタンスイッチ等を並べた操作キー１２１、静電容量の変化に基づいて操作者の手指が触れたことを検出するタッチセンサ１２２、表示部１３１に重ねて配置したタッチパネル１２３、で構成される。その他の操作デバイスを更に備えても良い。拡張インタフェース部１７０に接続したキーボード等を用いて携帯情報端末１００の操作を行っても良い。有線通信または無線通信により接続された別体の携帯端末機器を用いて携帯情報端末１００の操作を行っても良い。なお、タッチセンサ１２２はセンサ部に触れた手指の指紋や掌紋を検出する機能を備える。【００２１】
画像処理部１３０は、表示部１３１、画像信号処理部１３２、第一画像入力部１３３、第二画像入力部１３４、で構成される。表示部１３１は、例えば液晶パネル等の表示デバイスであり、画像信号処理部１３２で処理した画像データを携帯情報端末１００の操作者に提供する。画像信号処理部１３２は図示を省略したビデオＲＡＭを備える。前記ビデオＲＡＭに入力された画像データに基づいて表示部１３１が駆動される。また、画像信号処理部１３２は、必要に応じて、符号化映像信号の復号処理、フォーマット変換処理、メニューやその他のＯＳＤ（Ｏｎ  Ｓｃｒｅｅｎ  Ｄｉｓｐｌａｙ）信号の重畳処理、等を行う機能を有する。第一画像入力部１３３及び第二画像入力部１３４は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の電子デバイスを用いてレンズから入力した光を電気信号に変換することにより、周囲や対象物の画像データを入力するカメラユニットである。【００２２】
音声処理部１４０は、音声出力部１４１、音声信号処理部１４４、音声入力部１４５、で構成される。音声出力部１４１はスピーカであり、音声信号処理部１４４で処理した音声信号を携帯情報端末１００の操作者に提供する。特に、モノラルスピーカ１４２は音声通話時等にモノラル音声の出力を行い、ステレオスピーカ１４３は音楽再生時等にステレオ音声の出力を行う。音声信号処理部１４４は、必要に応じて、符号化音声信号の復号処理等を行う機能を有する。音声入力部１４５はマイクであり、操作者の声などを音声データに変換して入力する。【００２３】
センサ部１５０は、携帯情報端末１００の状態を検出するためのセンサ群である。センサ部１５０は、ＧＰＳ（Ｇｌｏｂａｌ  Ｐｏｓｉｔｉｏｎｉｎｇ  Ｓｙｓｔｅｍ）受信部１５１、ジャイロセンサ１５２、地磁気センサ１５３、加速度センサ１５４、照度センサ１５５、近接センサ１５６、で構成される。これらのセンサ群により、携帯情報端末１００の位置、傾き、方角、動き、及び周囲の明るさ、周囲物の近接状況、等を検出することが可能となる。また、携帯情報端末１００が、気圧センサ等、他のセンサを更に備えていても良い。【００２４】
通信部１６０は、ＬＡＮ（Ｌｏｃａｌ  Ａｒｅａ  Ｎｅｔｗｏｒｋ）通信部１６１、電話網通信部１６２、ＮＦＣ（Ｎｅａｒ  Ｆｉｅｌｄ  Ｃｏｍｍｕｎｉｃａｔｉｏｎ）部１６３、で構成される。ＬＡＮ通信部１６１はアクセスポイント等を介してインターネット等のネットワークと接続され、前記ネットワーク上の各サーバ装置とデータの送受信を行う。前記アクセスポイント等との接続はＷｉ−Ｆｉ（登録商標）等の無線接続で行われて良い。電話網通信部１６２は移動体電話通信網の基地局等との無線通信により、電話通信（通話）及びデータの送受信を行う。前記基地局等との通信はＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）（登録商標）方式やＬＴＥ（Ｌｏｎｇ  Ｔｅｒｍ  Ｅｖｏｌｕｔｉｏｎ）方式等で行われて良い。ＮＦＣ部１６３は対応するリーダ／ライタとの近接時に無線通信を行う。ＬＡＮ通信部１６１と電話網通信部１６２とＮＦＣ部１６３は、それぞれ符号化回路や復号回路やアンテナ等を備える。また、通信処理部１６０が、ＢｌｕｅＴｏｏｔｈ（登録商標）通信部や赤外線通信部等、他の通信部を更に備えていても良い。【００２５】
拡張インタフェース部１７０は、携帯情報端末１００の機能を拡張するためのインタフェース群である。拡張インタフェース部１７０は、映像／音声インタフェース、ＵＳＢ（Ｕｎｉｖｅｒｓａｌ  Ｓｅｒｉａｌ  Ｂｕｓ）インタフェース、メモリインタフェース、等で構成される。映像／音声インタフェースは、外部映像／音声出力機器からの映像信号／音声信号の入力、外部映像／音声入力機器への映像信号／音声信号の出力、等を行う。ＵＳＢインタフェースは、ＰＣ等と接続してデータの送受信を行う。また、キーボードやその他のＵＳＢ機器の接続を行っても良い。また、図示を省略した内蔵バッテリへの充電の際に使用されても良い。メモリインタフェースはメモリカードやその他のメモリ媒体を接続してデータの送受信を行う。【００２６】
なお、図１Ａに示した携帯情報端末１００の構成例は、本実施例に必須ではない構成も多数含んでいるが、これらが備えられていない構成であっても本実施例の効果を損なうことはない。また、デジタル放送受信機能や電子マネー決済機能等、図示していない構成が更に加えられていても良い。【００２７】
［携帯情報端末の外観例］
図１Ｂは、携帯情報端末１００の外観の一例を示す外観図である。なお、同図は、携帯情報端末１００がスマートホン等である場合の、携帯情報端末１００の前面（表面）図及び背面（裏面）図の例を図示し、左右側面及び天地面等に関しては図示を省略する。【００２８】
携帯情報端末１００の前面には、動作インジケータ１２４、第一画像入力部１３３、モノラルスピーカ１４２、タッチスクリーン１８０、が備えられる。動作インジケータ１２４は、ＬＥＤ（Ｌｉｇｈｔ  Ｅｍｉｔｔｉｎｇ  Ｄｉｏｄｅ）の点灯／点滅の有無により携帯情報端末１００の動作状態を報知する。タッチスクリーン１８０はタッチパネル１２３と表示部１３１で構成される。【００２９】
携帯情報端末１００の背面には、タッチセンサ１２２、第二画像入力部１３４、補助光発光器１３５、ステレオスピーカ１４３、が備えられる。補助光発光器１３５は、第二画像入力部１３４からの画像入力時に、光量不足を補うための補助光を発光可能である。【００３０】
携帯情報端末１００の上面には、操作キー１２１の一つである電源キー１２１ｐが備えられる。携帯情報端末１００の下面には、音声入力部１４５、拡張インタフェース部１７０の一つであるμ−ＵＳＢ入力部１７０ｕ、が備えられる。【００３１】
なお、同図に示したように、第一画像入力部１３３は前面に配置され、第二画像入力部１３４は第一画像入力部１３３とは異なる面である背面に配置される。以下では、第一画像入力部１３３を『インカメラ』、第二画像入力部１３４を『アウトカメラ』と称する場合がある。また、タッチセンサ１２２は、携帯情報端末１００の背面ではなく、側面や前面下部（タッチスクリーン１８０と重ならない部分）等に配置されても良い。また、タッチスクリーン１８０を構成するタッチパネル１２３がタッチセンサ１２２の機能を併せ持っていても良い。この場合、タッチスクリーン１８０上の任意の位置においてタッチセンサ１２２の機能（例えば、指紋認証機能）を実行することが可能である。【００３２】
［携帯情報端末のソフトウェア構成例］
図１Ｃは、携帯情報端末１００のソフトウェア構成図であり、ストレージ部１１０（或いはＲＯＭ１０３、以下同様）及びＲＡＭ１０４におけるソフトウェアの構成の一例を示す。ストレージ部１１０には、基本動作プログラム１００１、ロック制御プログラム１００２、ユーザ認証プログラム１００３、その他の動作プログラム１００９、が記憶される。また、ストレージ部１１０は、携帯情報端末１００の正規ユーザの認証情報を記憶する認証情報記憶領域１０１１とその他の情報を記憶する各種情報記憶領域１０１９を備える。【００３３】
ストレージ部１１０に記憶された基本動作プログラム１００１はＲＡＭ１０４に展開され、更に主制御部１０１が前記展開された基本動作プログラムを実行することにより、基本動作機能部１１０１を構成する。同様に、ロック制御プログラム１００２とユーザ認証プログラム１００３とその他の動作プログラム１００９はそれぞれＲＡＭ１０４に展開され、更に主制御部１０１が前記展開された各動作プログラムを実行することにより、ロック制御機能部１１０２とユーザ認証機能部１１０３とその他の動作機能部１１０９を構成する。また、ＲＡＭ１０４は、各動作プログラム実行時に作成したデータを、必要に応じて一時的に記憶する一時記憶領域１２００を備える。【００３４】
なお、以下では、説明を簡単にするために、主制御部１０１がストレージ部１１０に記憶された基本動作プログラム１００１をＲＡＭ１０４に展開して実行することにより各動作ブロックの制御を行う処理を、基本動作機能部１１０１が各動作ブロックの制御を行うものとして記述する。他の動作プログラムに関しても同様の記述を行う。【００３５】
ロック制御機能部１１０２は二種類のロック制御機能を有する。一つ目は端末ロック機能であり、携帯情報端末１００の動作状態を、携帯情報端末１００の各種機能の動作が一括して制限される端末ロック状態とするか、或いは、携帯情報端末１００の各種機能の動作が適宜許容される端末アンロック状態とするか、の制御を行う。前記端末ロック状態とは、携帯情報端末１００の電源のオン／オフ、スリープ動作のオン／オフ、及び端末ロック状態を解除するためのユーザ認証処理、等の操作指示を受け付け、その他の操作指示を受け付けない状態である。但し、アクセスポイントや基地局等のサーチやメールチェック等の、端末システムにより自動実行される機能は適宜許容されて良い。二つ目は指定アプリ外ロック機能であり、端末アンロック状態において、正規ユーザが選択した所定のアプリケーションの操作は全ての操作者に対して許容するが、他の操作に関しては正規ユーザが操作者の場合以外は適宜制限するように、携帯情報端末１００の機能毎のロック制御を行う。【００３６】
ユーザ認証機能部１１０３は、携帯情報端末１００の操作者が正規ユーザであるか否かを確認するためのユーザ認証処理の制御を主として行う。ユーザ認証処理の方式としては、ＰＩＮ（Ｐｅｒｓｏｎａｌ  Ｉｄｅｎｔｉｆｉｃａｔｉｏｎ  Ｎｕｍｂｅｒ）入力方式、パスワード入力方式、パターン入力方式、顔認証方式、虹彩認証方式、指紋認証方式、掌紋認証方式、声紋認証方式、等があり、何れが採用されても良い。その他の方式であっても良い。なお、本実施例では、端末ロック機能部１１０２Ｔによる制御時にはユーザ認証処理方式としてＰＩＮ入力処理を用い、指定アプリ外ロック機能部１１０２Ａによる制御時には顔認証処理や指紋認証処理を用いる。【００３７】
なお、前記各動作プログラムは、製品出荷の時点で、予めストレージ部１１０及び／またはＲＯＭ１０３に記憶された状態であっても良い。製品出荷後に、ネットワーク上の各サーバ装置からＬＡＮ通信部１６１または電話網通信部１６２等を介して取得しても良い。また、メモリカードや光ディスク等に格納された前記各動作プログラムを、拡張インタフェース部１７０等を介して取得しても良い。【００３８】
［携帯情報端末の動作状態遷移例］
図２Ａは、携帯情報端末１００の動作状態の遷移状況の一例を説明する動作状態遷移図である。同図に示した動作状態遷移は、主に端末ロック機能部１１０２Ｔにより制御される端末ロック機能に関するものである。【００３９】
携帯情報端末１００は、機能メニュー等に対する操作指示により、端末ロック機能の設定（有効化）／解除（無効化）が可能である。即ち、前記端末ロック機能の設定／解除の操作指示により、携帯情報端末１００は、端末ロック機能が無効化された状態での通常動作状態Ｔ１００と端末ロック機能が有効化された状態での通常動作状態Ｔ１１０とを切り換えることができる。この際、ユーザ認証処理が要求されても良い。【００４０】
また、端末ロック機能が無効化された状態では、通常動作状態Ｔ１００の携帯情報端末１００は、無操作で所定時間以上経過した場合、或いは操作者がスリープ状態への遷移を指示した場合に、スリープ状態Ｔ１０１へ遷移する。また、通常動作状態Ｔ１００或いはスリープ状態Ｔ１０１で操作者が電源オフを指示すると、携帯情報端末１００は電源オフ状態Ｔ１０２に遷移する。スリープ状態Ｔ１０１で操作者がスリープ状態の解除を指示した場合、或いは電源オフ状態Ｔ１０２で操作者が電源オンを指示した場合、携帯情報端末１００は通常動作状態Ｔ１００へ遷移する。【００４１】
一方、端末ロック機能が有効化された状態では、通常動作状態Ｔ１１０の携帯情報端末１００は、無操作で所定時間以上経過した場合、或いは操作者がスリープ状態への遷移を指示した場合に、スリープ状態Ｔ１１１へ遷移する。また、通常動作状態Ｔ１１０或いはスリープ状態Ｔ１１１で操作者が電源オフを指示すると、携帯情報端末１００は電源オフ状態Ｔ１１２に遷移する。スリープ状態Ｔ１１１で操作者がスリープ状態の解除を指示した場合、或いは電源オフ状態Ｔ１１２で操作者が電源オンを指示した場合、携帯情報端末１００はユーザ認証処理（Ｔ１１３）を実行する。ユーザ認証処理（Ｔ１１３）で操作者の認証に成功した場合、携帯情報端末１００は端末ロック機能を一時的に解除して通常動作状態Ｔ１１０へ遷移する。即ち、通常動作状態Ｔ１１０は、端末ロック機能が有効化された状態で且つ端末ロック機能が一時的に解除されている動作状態である。また、ユーザ認証処理（Ｔ１１３）で操作者の認証に失敗した場合には、携帯情報端末１００はスリープ状態Ｔ１１１へ遷移する。或いは、ユーザ認証処理（Ｔ１１３）を繰り返す。【００４２】
なお、本実施例では、前述の指定アプリ外ロック機能の制御は通常動作状態Ｔ１１０において有効となる。通常動作状態Ｔ１００においても指定アプリ外ロック機能の制御が有効となっても良い。指定アプリ外ロック機能の動作の詳細に関しては後述する。【００４３】
図２Ｂは、ユーザ認証処理（Ｔ１１３）に基づく端末ロック機能の一時解除処理の一例のフローチャートである。【００４４】
スリープ状態Ｔ１１１で操作者がスリープ解除の指示を行った場合、或いは、電源オフ状態Ｔ１１２で操作者が電源オンの指示を行った場合、端末ロック機能部１１０２Ｔはユーザ認証機能部１１０３のＰＩＮ入力処理部１１０３Ｐの起動を要求し、基本動作機能部１１０１はＰＩＮ入力処理部１１０３Ｐを起動する。【００４５】
次に、ＰＩＮ入力処理部１１０３Ｐがタッチスクリーン１８０（表示部１３１）にＰＩＮ入力画面１８０ａを表示する（Ｓ１０１）。続いて、ＰＩＮ入力処理部１１０３Ｐは、タッチスクリーン１８０（タッチパネル１２３）への操作者のタッチ操作によるＰＩＮ入力の有無を確認する（Ｓ１０２）。ＰＩＮ入力処理部１１０３Ｐは、タッチスクリーン１８０へのＰＩＮ入力が無い場合またはタッチ操作がＰＩＮ入力でないことを確認した場合（Ｓ１０２：Ｎｏ）、Ｓ１０２の処理を繰り返す。ＰＩＮ入力処理部１１０３Ｐは、タッチ操作がＰＩＮ入力のキャンセル指示であることを確認した場合（Ｓ１０２：Ｃａｎｃｅｌ）、認証失敗として、スリープ状態Ｔ１１１に遷移する（Ｓ１０８）。ＰＩＮ入力処理部１１０３Ｐは、タッチスクリーン１８０へのタッチ操作があり、前記タッチ操作がＰＩＮ入力であることを確認した場合（Ｓ１０２：Ｙｅｓ）、Ｓ１０３の処理に進む。次に、ＰＩＮ入力処理部１１０３Ｐは、Ｓ１０２の処理で入力されたＰＩＮ情報と正規ユーザが予め設定して認証情報記憶領域１０１１に記憶させた認証情報とを比較し、その結果をロック制御機能部１１０２の端末ロック機能部１１０２Ｔに送信する（Ｓ１０３）。【００４６】
端末ロック機能部１１０２Ｔは、送信された比較結果に応じて、Ｓ１０２の処理で入力されたＰＩＮ情報と正規ユーザが予め設定して認証情報記憶領域１０１１に記憶させた認証情報とが一致するか否かを判定し、両者が一致すると判定した場合（Ｓ１０４：Ｙｅｓ）、認証成功として、携帯情報端末１００の端末ロック機能を一時的に解除（Ｓ１０５）して、通常動作状態Ｔ１１０に遷移し（Ｓ１０６）、タッチスクリーン１８０にホーム画面１８０ｂを表示する（Ｓ１０７）。一方、端末ロック機能部１１０２Ｔは、Ｓ１０２の処理で入力されたＰＩＮ情報と正規ユーザが予め設定して認証情報記憶領域１０１１に記憶させた認証情報とが一致しないと判定した場合（Ｓ１０４：Ｎｏ）、認証失敗として、スリープ状態Ｔ１１１に遷移する（Ｓ１０８）。なお、認証失敗の場合、携帯情報端末１００の動作状態をスリープ状態Ｔ１１１に遷移させる処理に代替して、電源オフ状態Ｔ１１２に遷移させても良いし、Ｓ１０１の処理に戻っても良い。【００４７】
図２Ｃは、図２Ｂに示したフローチャートの処理で表示される、ＰＩＮ入力画面の一例の画面表示図である。【００４８】
ＰＩＮ入力画面１８０ａは、数字キーボード領域１８０ａ１、入力結果表示領域１８０ａ２、その他情報表示領域１８０ａ３、で構成される。数字キーボード領域１８０ａ１がＰＩＮ入力の際のタッチ操作の有効領域となる。入力結果表示領域１８０ａ２は、数字キーボード領域１８０ａ１への操作者のタッチ操作の結果を表示する領域である。操作者が数字キーボード領域１８０ａ１へタッチ操作を行った場合に『・』や『＊』等の文字を表示することにより、携帯情報端末１００が操作者の操作指示を受け取ったことを報知する。その他情報表示領域１８０ａ３は、時刻情報や気象情報等の一般的な情報を表示する領域である。【００４９】
図２Ｄは、図２Ｂに示したフローチャートの処理で表示される、ホーム画面の一例の画面表示図である。【００５０】
ホーム画面１８０ｂは、主機能アイコン表示領域１８０ｂ１、一般アイコン表示領域１８０ｂ２、その他情報表示領域１８０ｂ３、制御キー領域１８０ｂ４、で構成される。主機能アイコン表示領域１８０ｂ１は、携帯情報端末１００で頻繁に使用される主要アプリケーションに関連付けられたアイコンの表示領域である。一般アイコン表示領域１８０ｂ２は、その他のアプリケーションに関連づけられたアイコンの表示領域である。その他情報表示領域１８０ｂ３は、時刻情報や気象情報等の一般的な情報を表示する領域である。制御キー領域１８０ｂ４は、『バックキー』や『ホームキー』や『アプリ履歴キー』を表示する領域である。【００５１】
［指定アプリ外ロック機能の動作制御例］
以下では、携帯情報端末１００の正規ユーザが、ストレージ部１１０の各種情報記憶領域１０１９に記録されているカメラ撮影画像を友人等に披露するために、画像閲覧用アプリケーションを選択して起動した状態で、携帯情報端末１００を友人等に貸し出す場合を例として、指定アプリ外ロック機能の動作制御処理に関して説明を行う。なお、正規ユーザが選択するアプリケーションは前記画像閲覧用アプリケーションに限られない。【００５２】
図３Ａは、指定アプリ外ロック機能の動作制御処理の一例のフローチャートである。同図に示したフローチャートの処理は、主に指定アプリ外ロック機能部１１０２Ａにより制御される指定アプリ外ロック機能に関するものである。なお、指定アプリ外ロック機能部１１０２Ａの制御は前述の端末ロック機能部１１０２Ｔの制御と独立して行われて良い。【００５３】
通常動作状態Ｔ１１０の携帯情報端末１００において画像閲覧用アプリケーションを使用する場合、操作者は、ホーム画面１８０ｂが表示されたタッチスクリーン１８０を操作して画像閲覧用アプリケーションの起動を指示する（Ｓ２０１）。前記画像閲覧用アプリケーションの起動指示は、主機能アイコン表示領域１８０ｂ１または一般アイコン表示領域１８０ｂ２に表示されている画像閲覧用アプリケーションと関連付けられたアイコンをタップする等により行えば良い。すると、基本動作機能部１１０１は、前記操作者の指示に応じてその他の動作機能部１１０９の図示を省略した画像閲覧用アプリケーション機能部を起動する。画像閲覧用アプリケーション機能部はタッチスクリーン１８０に画像閲覧用アプリ実行画面１８０ｃ（図３Ｂ）を表示する（Ｓ２０２）。【００５４】
次に、操作者は、タッチスクリーン１８０に画像閲覧用アプリ実行画面１８０ｃが表示された状態で、指定アプリ外ロック機能制御開始を指示する（Ｓ２０３）。すると、基本動作機能部１１０１は、前記操作者の指示に応じてロック機能制御部１１０２の指定アプリ外ロック機能部１１０２Ａを起動する（Ｓ２０４）。指定アプリ外ロック機能部１１０２Ａは、操作者の指示により実行中のアプリケーション（本実施例では画像閲覧用アプリケーション）を、正規ユーザおよび正規ユーザ以外の他のユーザの双方が操作可能な指定アプリとして記憶（登録）し（Ｓ２０５）、更に、インカメラ１３３の有効化及び顔認証処理部１１０３Ｆの起動を要求する。以下では、実行中のアプリケーションが指定アプリとして登録される前提で説明しているが、操作者が操作入力部１２０から指定した実行中以外のアプリケーションを指定アプリとして認識し、登録してもよい。基本動作機能部１１０１は、前記要求に応じて、インカメラ１３３を有効化し、顔認証処理部１１０３Ｆを起動する（Ｓ２０６）。顔認証処理部１１０３Ｆは、インカメラ１３３が取得した画像に基づいた顔認証処理を開始する。【００５５】
なお、指定アプリ外ロック機能制御開始の指示は、タッチスクリーン１８０に画像閲覧用アプリ実行画面１８０ｃが表示された状態で、『ホームキー』をダブルタップ或いはトリプルタップ等すれば良い。『ホームキー』と『バックキー』を同時にタッチする、タッチセンサ１２２に指を触れた状態で『ホームキー』をタップする、タッチセンサ１２２に指を触れた状態で実行中のアプリケーション（本実施例では画像閲覧用アプリケーション）の実行画面をダブルタップする、等の操作であっても良い。その他の所定の操作であっても良い。【００５６】
また、携帯情報端末１００の正規ユーザ以外の操作者による指定アプリ外ロック機能制御開始の指示を防ぐために、Ｓ２０３の処理において、操作者が携帯情報端末１００の正規ユーザか否かの確認（認証処理）を行うようにしても良い。【００５７】
続いて、基本動作機能部１１０１が、タッチスクリーン１８０への操作者のタッチ操作による携帯情報端末１００に対する操作指示入力の有無を確認する。基本動作機能部１１０１は、タッチスクリーン１８０への操作指示入力が無いことを確認した場合（Ｓ２０７：Ｎｏ）、Ｓ２０７の処理を繰り返す。一方、基本動作機能部１１０１は、タッチスクリーン１８０への操作指示入力があることを確認した場合（Ｓ２０７：Ｙｅｓ）、前記操作指示が指定アプリ外ロック機能制御終了の指示か否かを確認する（Ｓ２０８）。基本動作機能部１１０１は、Ｓ２０７の処理で入力された操作指示が指定アプリ外ロック機能制御終了の指示であることを確認した場合（Ｓ２０８：Ｙｅｓ）、Ｓ２１２の処理に進む。また、基本動作機能部１１０１は、Ｓ２０７の処理で入力された操作指示が指定アプリ外ロック機能制御終了の指示でないことを確認した場合（Ｓ２０８：Ｎｏ）、Ｓ２０９の処理に進む。【００５８】
なお、指定アプリ外ロック機能制御終了の指示は、指定アプリ外ロック制御が実行されている状態で、『ホームキー』をダブルタップ或いはトリプルタップ等すれば良い。『ホームキー』と『バックキー』を同時にタッチする、タッチセンサ１２２に指を触れた状態で『ホームキー』をタップする、タッチセンサ１２２に指を触れた状態で実行中のアプリケーション（本実施例では画像閲覧用アプリケーション）の実行画面をダブルタップする、等の操作であっても良い。その他の所定の操作であっても良い。【００５９】
Ｓ２０９の処理では、指定アプリ外ロック機能部１１０２Ａが、Ｓ２０７の処理で入力された操作指示が、Ｓ２０５の処理で指定アプリとして記憶されたアプリケーション（本実施例では画像閲覧用アプリケーション）を対象とした操作指示か、前記指定アプリ以外を対象とした操作指示か、の確認を行う（Ｓ２０９）。指定アプリ外ロック機能部１１０２Ａは、Ｓ２０７の処理で入力された操作指示が前記指定アプリを対象とした操作指示であることを確認した場合（Ｓ２０９：指定アプリ）、前記画像閲覧用アプリケーション機能部が前記操作指示に基づく各処理を実行（Ｓ２１１）した後に、Ｓ２０７の処理に戻る。一方、指定アプリ外ロック機能部１１０２Ａは、Ｓ２０７の処理で入力された操作指示が前記指定アプリ以外を対象とした操作指示であることを確認した場合（Ｓ２０９：指定アプリ以外）、更に、操作者が携帯情報端末１００の正規ユーザか否かの確認を行う（Ｓ２１０）。指定アプリ外ロック機能部１１０２Ａは、Ｓ２１０の処理において、操作者が携帯情報端末１００の正規ユーザであると確認された場合（Ｓ２１０：Ｙｅｓ）には、その他の動作機能部１１０９の各アプリケーション機能部がＳ２０７の処理で入力された操作指示に基づく各処理を実行（Ｓ２１１）した後に、Ｓ２０７の処理に戻る。また、指定アプリ外ロック機能部１１０２Ａは、操作者が携帯情報端末１００の正規ユーザであると確認されなかった場合（Ｓ２１０：Ｎｏ）には、Ｓ２０７の処理で入力された操作指示を実行せずに、Ｓ２０７の処理に戻る。【００６０】
Ｓ２１０の処理で行う、操作者が携帯情報端末１００の正規ユーザか否かの確認は、本実施例においては、顔認証処理部１１０３Ｆの制御に基づく顔認証方式により行われる。即ち、顔認証処理部１１０３Ｆが、インカメラ１３３から取得した画像を解析して操作者の顔画像を抽出し、前記抽出した顔画像を予め認証情報記憶領域１０１１に記憶させておいた正規ユーザの顔画像と比較し、比較結果が所定値以上の一致度を有していれば、前記操作者が携帯情報端末１００の正規ユーザであると見做すようにする。なお、Ｓ２１０の処理は、指定アプリ外ロック機能制御が行われている間、操作者の操作指示入力を受け付ける毎に実行されても良いし、常時実行されていても良いし、所定時間毎に繰り返し実行されても良い。また、予め認証情報記憶領域１０１１に記憶させておく正規ユーザの顔画像は複数人分であっても良い。この場合、携帯情報端末１００の正規ユーザが複数人いることになる。【００６１】
Ｓ２１２の処理では、指定アプリ外ロック機能部１１０２Ａが、Ｓ２０７の処理で入力された指定アプリ外ロック機能制御終了の指示が携帯情報端末１００の正規ユーザによるものであるか否かを確認するために、ＰＩＮ入力処理部１１０３Ｐの起動を要求する。すると、基本動作機能部１１０１はユーザ認証機能部１１０３のＰＩＮ入力処理部１１０３Ｐを起動する。【００６２】
次に、ＰＩＮ入力処理部１１０３Ｐがタッチスクリーン１８０（表示部１３１）にＰＩＮ入力画面１８０ａを表示する（Ｓ２１２）。続いて、ＰＩＮ入力処理部１１０３Ｐは、タッチスクリーン１８０（タッチパネル１２３）への操作者のタッチ操作によるＰＩＮ入力の有無を確認する（Ｓ２１３）。ＰＩＮ入力処理部１１０３Ｐは、タッチスクリーン１８０へのＰＩＮ入力が無いことを確認した場合またはタッチ操作がＰＩＮ入力でないことを確認した場合（Ｓ２１３：Ｎｏ）、Ｓ２１３の処理を繰り返す。ＰＩＮ入力処理部１１０３Ｐは、タッチ操作がＰＩＮ入力のキャンセル指示であることを確認した場合（Ｓ２１３：Ｃａｎｃｅｌ）、認証失敗として、Ｓ２０７の処理に戻る。この場合、指定アプリ外ロック機能制御は終了しない。ＰＩＮ入力処理部１１０３Ｐは、タッチスクリーン１８０へのタッチ操作があり、前記タッチ操作がＰＩＮ入力であることを確認した場合（Ｓ２１３：Ｙｅｓ）、Ｓ２１４の処理に進む。次に、ＰＩＮ入力処理部１１０３Ｐは、Ｓ２１３の処理で入力されたＰＩＮ情報と正規ユーザが予め設定して認証情報記憶領域１０１１に記憶させた認証情報とを比較し、その結果を指定アプリ外ロック機能部１１０２Ａに送信する（Ｓ２１４）。【００６３】
指定アプリ外ロック機能部１１０２Ａは、送信された比較結果に応じて、Ｓ２１３の処理で入力されたＰＩＮ情報と正規ユーザが予め設定して認証情報記憶領域１０１１に記憶させた認証情報とが一致するか否かを判定し、両者が一致しないと判定した場合（Ｓ２１５：Ｎｏ）、認証失敗として、Ｓ２０７の処理に戻る。この場合、指定アプリ外ロック機能制御は終了しない。指定アプリ外ロック機能部１１０２Ａは、Ｓ２１３の処理で入力されたＰＩＮ情報と正規ユーザが予め設定して認証情報記憶領域１０１１に記憶させた認証情報とが一致すると判定した場合（Ｓ２１５：Ｙｅｓ）、認証成功として、インカメラ１３３の無効化及び顔認証処理部１１０３Ｆの動作終了を要求する。基本動作機能部１１０１は、前記要求に応じて、インカメラ１３３を無効化し、顔認証処理部１１０３Ｆの動作を終了させる（Ｓ２１６）。更に、指定アプリ外ロック機能部１１０２Ａは、Ｓ２０５の処理で行った指定アプリの記憶を解除し（Ｓ２１７）、指定アプリ外ロック機能制御の動作を終了する（Ｓ２１８）。【００６４】
図３Ｂは、図３Ａに示したフローチャートの処理で表示される、画像閲覧用アプリ実行画面の一例の画面表示図である。【００６５】
画像閲覧用アプリ実行画面１８０ｃは、画像閲覧領域１８０ｃ１、報知領域１８０ｃ２、制御キー領域１８０ｃ３、で構成される。画像閲覧領域１８０ｃ１は、画像閲覧用アプリ実行画面１８０ｃの主画面である。複数画像のサムネイル画面や選択画像の拡大画面等が表示される。報知領域１８０ｃ２は、電波強度や時刻や電池残量やその他の情報を報知する領域である。制御キー領域１８０ｃ３は、『バックキー』や『ホームキー』や『アプリ履歴キー』を表示する領域である。【００６６】
［指定アプリを対象とした操作指示と指定アプリ以外を対象とした操作指示］
図３Ａに示したフローチャートのＳ２０９〜Ｓ２１１の処理では、Ｓ２０７の処理で入力された操作指示が、指定アプリを対象とした操作指示か、前記指定アプリ以外を対象とした操作指示か、に応じて、処理フローを異ならせている。具体的には、Ｓ２０７の処理で入力された操作指示が指定アプリを対象とした操作指示である場合はＳ２１０の処理を実行せず、Ｓ２０７の処理で入力された操作指示が指定アプリ以外を対象とした操作指示である場合はＳ２１０の処理を実行する。【００６７】
図３Ｃは、携帯情報端末１００に対する操作指示の、何れが指定アプリを対象とした操作指示であって、何れが指定アプリ以外を対象とした操作指示であるか、を説明する操作概念図である。同図において、左上図は画像閲覧用アプリケーションの実行画面の一例であるサムネイル表示画面の図である。右上図は画像閲覧用アプリケーションの実行画面の一例である選択画像表示画面の図である。左下図はホーム画面の図である。右下図はメールアプリケーションの実行画面の一例であるメール作成画面の実行画面の図である。【００６８】
画像閲覧用アプリケーションのサムネイル画面を表示中に指定アプリ外ロック機能制御を開始した場合を考える。この場合、画像閲覧用アプリケーションが指定アプリとして記憶される。【００６９】
先ず、指定アプリである画像閲覧用アプリケーション内での全ての操作指示は、言うまでもなく、指定アプリを対象とした操作指示である。例えば、画像閲覧用アプリケーションのサムネイル表示画面で一つの画像データを選択／拡大して画像閲覧用アプリケーションの選択画像表示画面を表示させる、画像閲覧用アプリケーションの選択画像表示画面からサムネイル表示画面に戻る、サムネイル表示画面におけるソート順を変更する、等の操作指示である。また、画像閲覧用アプリケーションのサムネイル表示画面や選択画像表示画面が表示された状態から、ホーム画面を表示させるための『ホームキー』のタップ操作やアプリ履歴画面（但し図示省略）を表示させるための『アプリ履歴キー』のタップ操作も指定アプリを対象とした操作指示となる。また、ホーム画面やアプリ履歴画面から画像閲覧用アプリケーションの実行を再開するためのアイコン等タップ操作等も指定アプリを対象とした操作指示となる。【００７０】
一方、ホーム画面やアプリ履歴画面から、指定アプリ以外のアプリケーションであるメールアプリケーション（他のアプリケーションでも同様）を起動するためのアイコンタップ操作は指定アプリ以外を対象とした操作指示となる。【００７１】
即ち、図３Ｃにおいて、破線内で行われる各操作指示は指定アプリを対象とした操作指示であり、破線を跨いで行われる各操作指示及び破線外で行われる各操作指示は指定アプリ以外を対象とした操作指示である。【００７２】
［変形例１］
Ｓ２１０の処理で行う正規ユーザの確認処理は、前述の顔認証方式に限られない。例えば、指紋認証方式等であっても良い。この場合、Ｓ２０６の処理において、インカメラ１３３の有効化及び顔認証処理部１１０３Ｆの起動の各処理に代替して、基本動作機能部１１０１は、タッチセンサ１２２を有効化し、指紋証処理部１１０３Ｈを起動すれば良い。また、Ｓ２１０の処理では、指紋認証処理部１１０３Ｈが、タッチセンサ１２２に接触する操作者の指の指紋データを検出し、前記検出した指紋データを予め認証情報記憶領域１０１１に記憶させておいた正規ユーザの指紋データと比較し、比較結果が所定値以上の一致度を有していれば、前記操作者が携帯情報端末１００の正規ユーザであると見做すように制御を行えば良い。また、この場合、Ｓ２１６の処理では、指定アプリ外ロック機能制御終了の指示に応じて、タッチセンサ１２２の無効化及び指紋証処理部１１０３Ｈの動作終了を行えば良い。【００７３】
また、Ｓ２１０の処理で行う正規ユーザの確認処理は、虹彩認証方式や掌紋認証方式等、異なる認証方式であっても良い。【００７４】
また、Ｓ２１２〜Ｓ２１５で行う正規ユーザの確認処理は、前述のＰＩＮ入力方式に限られない。例えば、パスワード入力方式、パターン入力方式、顔認証方式、虹彩認証方式、指紋認証方式、掌紋認証方式、声紋認証方式、等、異なる認証方式であっても良い。【００７５】
また、Ｓ２１２〜Ｓ２１５で行う正規ユーザの確認処理は、図２Ａのユーザ認証処理（Ｔ１１３）と共通の認証処理であっても良いし、異なる認証処理であっても良い。共通の認証処理を異なる認証情報を用いて行っても良い。【００７６】
［変形例２］
図３Ｄは、指定アプリ外ロック機能の動作制御処理の一例のフローチャートである。但し、同図の例では何れのアプリケーションも指定アプリとしての記憶（登録）を行わない。この場合、操作者は、タッチスクリーン１８０にホーム画面１８０ｂが表示された状態で、携帯情報端末１００の正規ユーザ以外のユーザによる携帯情報端末１００のアプリケーションに対する操作を制限するために、指定アプリ外ロック機能制御開始を指示すれば良い。当該指示により、携帯情報端末１００のすべてのアプリケーションが、指定アプリ以外のアプリとして携帯情報端末１００に認識される。【００７７】
図３Ｄのフローチャートを図３Ａと比較すると、Ｓ２０１、Ｓ２０２、Ｓ２０５、Ｓ２０９、Ｓ２１７の各処理を実行しない。即ち、指定アプリ外ロック機能部１１０２Ａは、Ｓ２０７の処理で入力された全ての操作指示が前記指定アプリ以外を対象とした操作指示であるものとして、操作者が携帯情報端末１００の正規ユーザか否かの確認を行う（Ｓ２１０）。指定アプリ外ロック機能部１１０２Ａは、Ｓ２１０の処理において、操作者が携帯情報端末１００の正規ユーザであると確認された場合（Ｓ２１０：Ｙｅｓ）には、Ｓ２０７の処理で入力された操作指示に基づく各処理を実行（Ｓ２１１）した後に、Ｓ２０７の処理に戻る。また、指定アプリ外ロック機能部１１０２Ａは、操作者が携帯情報端末１００の正規ユーザであると確認されなかった場合（Ｓ２１０：Ｎｏ）には、Ｓ２０７の処理で入力された操作指示を実行せずに、Ｓ２０７の処理に戻る。【００７８】
したがって、携帯情報端末１００に対する全ての操作指示が、携帯情報端末１００の正規ユーザに対してのみ許容されることになる。【００７９】
［変形例３］
図４は、携帯情報端末１００ｇの外観の一例を示す外観図である。なお、同図は、携帯情報端末１００がＨＭＤ（Ｈｅａｄ  Ｍｏｕｎｔ  Ｄｉｓｐｌａｙ）等の眼鏡型情報端末装置である場合の、携帯情報端末１００ｇの正面図、上面図及び左右側面図の例を図示し、裏面及び下面図等に関しては図示を省略する。【００８０】
携帯情報端末１００ｇにおいて、眼鏡形状のレンズ部分には表示部１３１Ｌ／１３１Ｒが配置される。表示部１３１Ｌ／１３１Ｒは透過型ディスプレイであり、装着者（操作者）は、表示部１３１Ｌ／１３１Ｒを透過して正面の風景を視認可能であると共に、画像信号処理部１３２で処理した画像データを表示部１３１Ｌ／１３１Ｒ上で確認可能である。また、携帯情報端末１００ｇの裏面には第一画像入力部１３３Ｌ／１３３Ｒが、携帯情報端末１００ｇの正面には第二画像入力部１３４Ｌ／１３４Ｒが備えられる。【００８１】
また、携帯情報端末１００ｇの左側面には、タッチセンサ１２２ｇ及びステレオスピーカ１４３Ｌが備えられる。携帯情報端末１００ｇの右側面には、操作キー１２１の一つであるカーソルキー１２１ｃ及びステレオスピーカ１４３Ｒが備えられる。また、携帯情報端末１００ｇの左側面または右側面には、給電用のμ−ＵＳＢ入力部１７０ｕ（但し図示省略）が備えられて良い。【００８２】
同図に示したような眼鏡型情報端末装置である携帯情報端末１００ｇで指定アプリ外ロック機能の動作制御処理を行う場合、図３ＡのフローチャートのＳ２１０の処理で行う正規ユーザの確認処理は、虹彩認証方式とすれば良い。この場合、Ｓ２０６の処理において、インカメラ１３３Ｌ／１３３Ｒ（何れか一方でも良い）の有効化及びユーザ認証処理部１１０３の虹彩認証処理部（但し、図示省略）を起動すれば良い。また、Ｓ２１０の処理では、虹彩認証処理部が、インカメラ１３３Ｌ／１３３Ｒから取得した画像を解析して装着者（操作者）の虹彩画像を抽出し、前記抽出した光彩画像を予め認証情報記憶領域１０１１に記憶させておいた正規ユーザの虹彩画像と比較し、比較結果が所定値以上の一致度を有していれば、前記装着者（操作者）が携帯情報端末１００の正規ユーザであると見做すように制御を行えば良い。また、この場合、Ｓ２１６の処理では、指定アプリ外ロック機能制御終了の指示に応じて、インカメラ１３３Ｌ／１３３Ｒの無効化及び虹彩認証処理部の動作終了を行えば良い。【００８３】
以上説明したように、本実施例の携帯情報端末１００は、正規ユーザが選択した所定のアプリケーションの操作は全ての操作者に対して許容するが、他の操作に関しては正規ユーザが操作者の場合以外には適宜制限を行う、指定アプリ外ロック機能制御を実行することが可能となる。即ち、操作者に応じて端末機能を適宜制限可能な使い勝手の良い携帯情報端末及びその制御方法を提供することができる。
【実施例２】
【００８４】
以下では、実施例２に関して説明する。なお、実施例２の基本的な構成は実施例１と同様であり、以下では、本実施例と実施例１との相違点に関して主に説明し、共通する部分は重複を避けるため極力説明を省略する。【００８５】
［指定アプリ外ロック機能の動作制御例］
以下では、携帯情報端末１００の正規ユーザが、ストレージ部１１０の各種情報記憶領域１０１９に記録されているカメラ撮影画像を友人等に披露するために、画像閲覧用アプリケーションを選択して起動した状態で、携帯情報端末１００を友人等に貸し出す場合を例として、指定アプリ外ロック機能の動作制御処理に関して説明を行う。【００８６】
図５は、指定アプリ外ロック機能の動作制御処理の一例のフローチャートである。同図に示したフローチャートの処理は、主に指定アプリ外ロック機能部１１０２Ａにより制御される指定アプリ外ロック機能に関するものである。なお、指定アプリ外ロック機能部１１０２Ａの制御は前述の端末ロック機能部１１０２Ｔの制御と独立して行われて良い。【００８７】
先ず、Ｓ３０１〜Ｓ３０４の処理において、図３ＡのフローチャートのＳ２０１〜Ｓ２０４と同様の処理を行う。即ち、操作者の操作指示に応じて、画像閲覧用アプリケーションの起動処理及び指定アプリ外ロック機能制御の開始処理を行う。また、指定アプリ外ロック機能部１１０２Ａは、操作者の指示により実行中のアプリケーション（本実施例では画像閲覧用アプリケーション）を指定アプリとして記憶する（Ｓ３０５）。【００８８】
続いて、基本動作機能部１１０１が、タッチスクリーン１８０への操作者のタッチ操作による携帯情報端末１００に対する操作指示入力の有無を確認する。基本動作機能部１１０１は、タッチスクリーン１８０への操作指示入力が無いことを確認した場合（Ｓ３０６：Ｎｏ）、Ｓ３０６の処理を繰り返す。基本動作機能部１１０１は、タッチスクリーン１８０への操作指示入力があることを確認した場合（Ｓ３０６：Ｙｅｓ）、前記操作指示が指定アプリ外ロック機能制御終了の指示か否かを確認する（Ｓ３０７）。基本動作機能部１１０１は、Ｓ３０６の処理で入力された操作指示が指定アプリ外ロック機能制御終了の指示であることを確認した場合（Ｓ３０７：Ｙｅｓ）、Ｓ３１２の処理に進む。また、基本動作機能部１１０１は、Ｓ３０６の処理で入力された操作指示が指定アプリ外ロック機能制御終了の指示でないことを確認した場合（Ｓ３０７：Ｎｏ）、Ｓ３０８の処理に進む。【００８９】
Ｓ３０８の処理では、指定アプリ外ロック機能部１１０２Ａが、Ｓ３０６の処理で入力された操作指示が、Ｓ３０５の処理で指定アプリとして記憶されたアプリケーション（本実施例では画像閲覧用アプリケーション）を対象とした操作指示か、前記指定アプリ以外を対象とした操作指示か、の確認を行う（Ｓ３０８）。指定アプリ外ロック機能部１１０２Ａは、Ｓ３０６の処理で入力された操作指示が前記指定アプリを対象とした操作指示であることを確認した場合（Ｓ３０８：指定アプリ）、前記画像閲覧用アプリケーション機能部が前記操作指示に基づく各処理を実行（Ｓ３１１）した後に、Ｓ３０６の処理に戻る。指定アプリ外ロック機能部１１０２Ａは、Ｓ３０６の処理で入力された操作指示が前記指定アプリ以外を対象とした操作指示であることを確認した場合（Ｓ３０８：指定アプリ以外）、更に、前記操作指示が前記指定アプリ以外の何れかのアプリケーションの起動指示であるか否かの確認を行う（Ｓ３０９）。【００９０】
Ｓ３０９の処理において、指定アプリ外ロック機能部１１０２Ａは、Ｓ３０６の処理で入力された操作指示が前記指定アプリ以外の何れかのアプリケーションの起動指示であることを確認した場合（Ｓ３０９：Ｙｅｓ）、操作者に対して指定外アプリ起動許可コードの入力を要求する（Ｓ３１０）。具体的には、指定アプリ外ロック機能部１１０２Ａの要求に基づき、ＰＩＮ入力処理部１１０３Ｐがタッチスクリーン１８０にＰＩＮ入力画面１８０ａを表示する。ここで、予め設定して認証情報記憶領域１０１１に記憶させた指定外アプリ起動許可コードを操作者がＰＩＮ情報として入力すれば、指定アプリ外ロック機能部１１０２Ａは正規の指定外アプリ起動許可コードが確認されたものとして（Ｓ３１０：ＯＫ）、前記操作指示に基づく処理、即ち、前記指定アプリ以外の何れかのアプリケーションの起動を実行する（Ｓ３１１）。一方、予め設定して認証情報記憶領域１０１１に記憶させた指定外アプリ起動許可コードを操作者がＰＩＮ情報として入力できなければ、指定アプリ外ロック機能部１１０２Ａは正規の指定外アプリ起動許可コードが確認されなかったものとして（Ｓ３１０：ＮＧ）、前記操作指示に基づく処理、即ち、前記指定アプリ以外の何れかのアプリケーションの起動を実行せずに、Ｓ３０６の処理に戻る。Ｓ３１０における指定外アプリ起動許可コードの確認処理は、図３ＡのフローチャートのＳ２１２〜Ｓ２１５と同様の処理を行えば良い。【００９１】
Ｓ３０９の処理において、指定アプリ外ロック機能部１１０２Ａは、Ｓ３０６の処理で入力された操作指示が前記指定アプリ以外の何れかのアプリケーションの起動指示でないことを確認した場合（Ｓ３０９：Ｎｏ）、前記操作指示に基づく各処理を実行（Ｓ３１１）した後に、Ｓ３０６の処理に戻る。即ち、起動済みの前記指定アプリ以外の何れかのアプリケーションは、起動時にＳ３１０の処理における指定外アプリ起動許可コードの確認処理を行っており、したがって、携帯情報端末１００の正規ユーザの許可を得て起動されたものと判断される。また、指定外アプリ起動許可コードの確認処理を経て起動された前記指定アプリ以外の何れかのアプリケーションは、アプリケーションの動作終了まで、新たな認証処理なしに全ての操作者に対して操作が許容されて良い。【００９２】
Ｓ３１２〜Ｓ３１７の処理は、図３ＡのフローチャートのＳ２１２〜Ｓ２１５及びＳ２１７〜Ｓ２１８と同様の処理を行えば良い。【００９３】
［変形例１］
Ｓ３１０の処理で行う指定外アプリ起動許可コードの確認処理は、前述のＰＩＮ入力方式に限られない。例えば、パスワード入力方式、パターン入力方式、顔認証方式、虹彩認証方式、指紋認証方式、掌紋認証方式、声紋認証方式、等であっても良い。【００９４】
また、Ｓ３１２〜Ｓ３１５で行う正規ユーザの確認処理も、ＰＩＮ入力方式、パスワード入力方式、パターン入力方式、顔認証方式、虹彩認証方式、指紋認証方式、掌紋認証方式、声紋認証方式、等、何れの認証方式であっても良い。【００９５】
［変形例２］
本実施例の指定アプリ外ロック機能の動作制御処理においても、何れのアプリケーションも指定アプリとしての記憶（登録）を行わない処理が可能である。この場合、操作者は、タッチスクリーン１８０にホーム画面１８０ｂが表示された状態で、指定アプリ外ロック機能制御開始を指示すれば良い。【００９６】
この場合、図５のＳ３０１、Ｓ３０２、Ｓ３０５、Ｓ３０８、Ｓ３１６の各処理を実行しない。即ち、Ｓ３０６の処理で入力された全ての操作指示が前記指定アプリ以外を対象とした操作指示であるものとして、Ｓ３０９〜Ｓ３１１の処理を行えば良い。このようにすれば、携帯情報端末１００の全てのアプリケーションに対する起動指示が、指定外アプリ起動許可コードの確認処理の結果に基づいて実行可否を制御されることになる。【００９７】
以上説明したように、本実施例の携帯情報端末１００は、正規ユーザが選択した所定のアプリケーションの操作は全ての操作者に対して許容するが、他の操作に関しては予め正規ユーザが定めた指定外アプリ起動許可コードの確認処理の結果に基づいて適宜許容される、指定アプリ外ロック機能制御を実行することが可能となる。即ち、操作者に応じて端末機能を適宜制限可能な使い勝手の良い携帯情報端末及びその制御方法を提供することができる。
【実施例３】
【００９８】
以下では、実施例３に関して説明する。なお、実施例３の基本的な構成は実施例１と同様であり、以下では、本実施例と実施例１との相違点に関して主に説明し、共通する部分は重複を避けるため極力説明を省略する。【００９９】
［指定アプリ外ロック機能の動作制御例］
以下では、携帯情報端末１００の正規ユーザが、ストレージ部１１０の各種情報記憶領域１０１９に記録されているカメラ撮影画像を友人等に披露するために、画像閲覧用アプリケーションを選択して起動した状態で、携帯情報端末１００を友人等に貸し出す場合を例として、指定アプリ外ロック機能の動作制御処理に関して説明を行う。【０１００】
図６は、指定アプリ外ロック機能の動作制御処理の一例のフローチャートである。同図に示したフローチャートの処理は、主に指定アプリ外ロック機能部１１０２Ａにより制御される指定アプリ外ロック機能に関するものである。なお、指定アプリ外ロック機能部１１０２Ａの制御は前述の端末ロック機能部１１０２Ｔの制御と独立して行われて良い。【０１０１】
先ず、Ｓ４０１〜Ｓ４０６の処理において、図３ＡのフローチャートのＳ２０１〜Ｓ２０６と同様の処理を行う。即ち、操作者の操作指示に応じて、画像閲覧用アプリケーションの起動処理及び指定アプリ外ロック機能制御の開始処理を行う。また、操作者の指示により実行中のアプリケーション（本実施例では画像閲覧用アプリケーション）の指定アプリへの記憶（登録）処理及びインカメラ１３３の有効化と顔認証処理部１１０３Ｆの起動処理を行う。【０１０２】
続いて、基本動作機能部１１０１が、タッチスクリーン１８０への操作者のタッチ操作による携帯情報端末１００に対する操作指示入力の有無を確認する。基本動作機能部１１０１は、タッチスクリーン１８０への操作指示入力が無いことを確認した場合（Ｓ４０７：Ｎｏ）、Ｓ４０７の処理を繰り返す。基本動作機能部１１０１は、タッチスクリーン１８０への操作指示入力があることを確認した場合（Ｓ４０７：Ｙｅｓ）、前記操作指示が指定アプリ外ロック機能制御終了の指示か否かを確認する（Ｓ４０８）。基本動作機能部１１０１は、Ｓ４０７の処理で入力された操作指示が指定アプリ外ロック機能制御終了の指示であることを確認した場合（Ｓ４０８：Ｙｅｓ）、Ｓ４１４の処理に進む。また、基本動作機能部１１０１は、Ｓ４０７の処理で入力された操作指示が指定アプリ外ロック機能制御終了の指示でないことを確認した場合（Ｓ４０８：Ｎｏ）、Ｓ４０９の処理に進む。【０１０３】
Ｓ４０９の処理では、指定アプリ外ロック機能部１１０２Ａは、Ｓ４０７の処理で入力された操作指示が、Ｓ４０５の処理で指定アプリとして記憶されたアプリケーション（本実施例では画像閲覧用アプリケーション）を対象とした操作指示か、前記指定アプリ以外を対象とした操作指示か、の確認を行う（Ｓ４０９）。指定アプリ外ロック機能部１１０２Ａは、Ｓ４０７の処理で入力された操作指示が前記指定アプリを対象とした操作指示であることを確認した場合（Ｓ４０９：指定アプリ）、前記画像閲覧用アプリケーション機能部が前記操作指示に基づく各処理を実行（Ｓ４１３）した後に、Ｓ４０７の処理に戻る。指定アプリ外ロック機能部１１０２Ａは、Ｓ４０７の処理で入力された操作指示が前記指定アプリ以外を対象とした操作指示であることを確認した場合（Ｓ４０９：指定アプリ以外）、更に、操作者が携帯情報端末１００の正規ユーザか否かの確認を行う（Ｓ４１０）。【０１０４】
Ｓ４１０の処理において、指定アプリ外ロック機能部１１０２Ａは、操作者が携帯情報端末１００の正規ユーザであると確認された場合（Ｓ４１０：Ｙｅｓ）には、その他の動作機能部１１０９の各アプリケーション機能部がＳ４０７の処理で入力された操作指示に基づく各処理を実行（Ｓ４１３）した後に、Ｓ４０７の処理に戻る。また、指定アプリ外ロック機能部１１０２Ａは、操作者が携帯情報端末１００の正規ユーザであると確認されなかった場合（Ｓ４１０：Ｎｏ）には、Ｓ４０７の処理で入力された操作指示が前記指定アプリ以外の何れかのアプリケーションの起動指示であるか否かの確認を行う（Ｓ４１１）。【０１０５】
Ｓ４１１の処理において、指定アプリ外ロック機能部１１０２Ａは、Ｓ４０７の処理で入力された操作指示が前記指定アプリ以外の何れかのアプリケーションの起動指示であることを確認した場合（Ｓ４１１：Ｙｅｓ）、指定外アプリ起動許可コードの確認処理を行う（Ｓ４１２）。指定アプリ外ロック機能部１１０２Ａは、Ｓ４１２の処理において、指定外アプリ起動許可コードの入力が確認された場合（Ｓ４１２：ＯＫ）には、前記操作指示に基づく処理、即ち、前記指定アプリ以外の何れかのアプリケーションの起動を実行する（Ｓ４１３）。一方、指定アプリ外ロック機能部１１０２Ａは、Ｓ４１２の処理において、指定外アプリ起動許可コードの入力が確認されなかった場合（Ｓ４１２：ＮＧ）には、前記操作指示に基づく処理、即ち、前記指定アプリ以外の何れかのアプリケーションの起動を実行せずに、Ｓ４０７の処理に戻る。Ｓ４１２における指定外アプリ起動許可コードの確認処理は、図３ＡのフローチャートのＳ２１２〜Ｓ２１５と同様の処理で良い。【０１０６】
Ｓ４１１の処理において、指定アプリ外ロック機能部１１０２Ａは、Ｓ４０７の処理で入力された操作指示が前記指定アプリ以外の何れかのアプリケーションの起動指示でないことを確認した場合（Ｓ４１１：Ｎｏ）、前記操作指示に基づく各処理を実行（Ｓ４１３）した後に、Ｓ４０７の処理に戻る。即ち、起動済みの前記指定アプリ以外の何れかのアプリケーションは、起動時にＳ４１２の処理における指定外アプリ起動許可コードの確認処理を行っており、したがって、携帯情報端末１００の正規ユーザの許可を得て起動されたものと判断される。また、指定外アプリ起動許可コードの確認処理を経て起動された前記指定アプリ以外の何れかのアプリケーションは、アプリケーションの動作終了まで、新たな認証処理なしに全ての操作者に対して操作が許容されて良い。【０１０７】
Ｓ４１４〜Ｓ４２０の処理は、図３ＡのフローチャートのＳ２１２〜Ｓ２１８と同様の処理を行えば良い。【０１０８】
本実施例の指定アプリ外ロック機能の動作制御処理は、実施例１における指定アプリ外ロック機能の動作制御処理と実施例２における指定アプリ外ロック機能の動作制御処理とを組み合わせたものである。【０１０９】
以上説明したように、本実施例の携帯情報端末１００は、正規ユーザが選択した所定のアプリケーションの操作は全ての操作者に対して許容するが、他の操作に関しては正規ユーザが操作者の場合以外には適宜制限を行い、または、予め正規ユーザが定めた指定外アプリ起動許可コードの確認処理の結果に基づいて適宜許容される、指定アプリ外ロック機能制御を実行することが可能となる。即ち、操作者に応じて端末機能を適宜制限可能な使い勝手の良い携帯情報端末及びその制御方法を提供することができる。
【実施例４】
【０１１０】
以下では、実施例４に関して説明する。なお、実施例４の基本的な構成は実施例１と同様であり、以下では、本実施例と実施例１との相違点に関して主に説明し、共通する部分は重複を避けるため極力説明を省略する。【０１１１】
［指定アプリ外ロック機能の動作制御例］
実施例１では、指定アプリとして記憶（登録）したアプリケーション内での全ての操作指示を、全ての操作者に対して（即ち、操作者が携帯情報端末１００の正規ユーザではない場合であっても）許容している。しかしながら、指定アプリとして記憶（登録）したアプリケーション内での操作指示であっても、操作者が携帯情報端末１００の正規ユーザではない場合には許容したくない操作指示もある。例えば、前述の画像閲覧用アプリケーションの場合、画像閲覧用アプリケーション内での操作指示であっても、画像データの消去指示や画像データのフォルダ間移動指示等は、操作者が携帯情報端末１００の正規ユーザではない場合には許容したくない。【０１１２】
この場合、図３Ａに示したフローチャートにおいて、Ｓ２０７〜Ｓ２１１の処理を図７のＳ５０１〜Ｓ５０６の処理で代替した指定アプリ外ロック機能の動作制御処理を行えば良い。以下に、携帯情報端末１００の正規ユーザが、ストレージ部１１０の各種情報記憶領域１０１９に記録されているカメラ撮影画像を友人等に披露するために、画像閲覧用アプリケーションを選択して起動した状態で、携帯情報端末１００を友人等に貸し出す場合を例として、本実施例の指定アプリ外ロック機能の動作制御処理を説明する。【０１１３】
図７は、指定アプリ外ロック機能の動作制御処理の一例のフローチャートの一部である。同図に示した処理の前に図３Ａに示したフローチャートのＳ２０１〜Ｓ２０６と同様の処理が行われ、また、同図に示した処理の後に図３Ａに示したフローチャートのＳ２１２〜Ｓ２１８と同様の処理が行われるが、記載を省略している。【０１１４】
図３ＡのフローチャートのＳ２０１〜Ｓ２０６と同様の処理を実行すると、続いて、基本動作機能部１１０１が、タッチスクリーン１８０への操作者のタッチ操作による携帯情報端末１００に対する操作指示入力の有無を確認する。タッチスクリーン１８０への操作指示入力が無いことを確認した場合（Ｓ５０１：Ｎｏ）、Ｓ５０１の処理を繰り返す。基本動作機能部１１０１は、タッチスクリーン１８０への操作指示入力があることを確認した場合（Ｓ５０１：Ｙｅｓ）、前記操作指示が指定アプリ外ロック機能制御終了の指示か否かを確認する（Ｓ５０２）。基本動作機能部１１０１は、Ｓ５０２の処理で入力された操作指示が指定アプリ外ロック機能制御終了の指示であることを確認した場合（Ｓ５０２：Ｙｅｓ）、以降、図３ＡのフローチャートのＳ２１２〜Ｓ２１８と同様の処理を行う。また、基本動作機能部１１０１は、Ｓ５０１の処理で入力された操作指示が指定アプリ外ロック機能制御終了の指示でないことを確認した場合（Ｓ５０２：Ｎｏ）、Ｓ５０３の処理に進む。【０１１５】
Ｓ５０３の処理では、指定アプリ外ロック機能部１１０２Ａは、Ｓ５０１の処理で入力された操作指示が、Ｓ２０５の処理で指定アプリとして記憶されたアプリケーション（本実施例では画像閲覧用アプリケーション）を対象とした操作指示か、前記指定アプリ以外を対象とした操作指示か、の確認を行う（Ｓ５０３）。指定アプリ外ロック機能部１１０２Ａは、Ｓ５０１の処理で入力された操作指示が前記指定アプリを対象とした操作指示であることを確認した場合（Ｓ５０３：指定アプリ）、更に、Ｓ５０１の処理で入力された操作指示が許可コマンドであるか否かの確認を行う（Ｓ５０４）。許可コマンドに関しては後述する。指定アプリ外ロック機能部１１０２Ａは、Ｓ５０１の処理で入力された操作指示が前記指定アプリを対象とした許可コマンドであることを確認した場合（Ｓ５０４：Ｙｅｓ）、画像閲覧用アプリケーション機能部が前記操作指示に基づく各処理を実行（Ｓ５０６）した後に、Ｓ５０１の処理に戻る。【０１１６】
指定アプリ外ロック機能部１１０２Ａは、Ｓ５０１の処理で入力された操作指示が前記指定アプリを対象とした許可コマンドでないことを確認した場合（Ｓ５０４：Ｎｏ）、或いは、Ｓ５０１の処理で入力された操作指示が前記指定アプリ以外を対象とした操作指示であることを確認した場合（Ｓ５０３：指定アプリ以外）、操作者が携帯情報端末１００の正規ユーザか否かの確認を行う（Ｓ５０５）。【０１１７】
指定アプリ外ロック機能部１１０２Ａは、Ｓ５０５の処理において、操作者が携帯情報端末１００の正規ユーザであると確認された場合（Ｓ５０５：Ｙｅｓ）には、前記画像閲覧用アプリケーション機能部やその他の各アプリケーション機能部がＳ５０１の処理で入力された操作指示に基づく各処理を実行（Ｓ５０６）した後に、Ｓ５０１の処理に戻る。また、指定アプリ外ロック機能部１１０２Ａは、操作者が携帯情報端末１００の正規ユーザであると確認されなかった場合（Ｓ５０５：Ｎｏ）には、Ｓ５０１の処理で入力された操作指示を実行せずに、Ｓ５０１の処理に戻る。【０１１８】
ここで、許可コマンドとは、前述の画像閲覧用アプリケーションの例では、画像データの消去指示や画像データのフォルダ間移動指示等を除く、操作者が携帯情報端末１００の正規ユーザではない場合であっても実行を許容して良いコマンド群である。許可コマンドは、携帯情報端末１００にインストールされているアプリケーション毎に、許可コマンドテーブルで管理されて良い。許可コマンドテーブルは、携帯情報端末１００の正規ユーザが予め設定して、ストレージ部１１０の各種情報記憶領域１０１９に記憶させておいても良い。携帯情報端末１００にインストールされている各アプリケーションがそれぞれのコマンドのセキュリティレベルに応じて自動生成しても良い。【０１１９】
Ｓ５０４の処理においては、Ｓ２０５の処理で指定アプリとして記憶されたアプリケーションの名称に基づいて、指定アプリ外ロック機能部１１０２Ａが、各種情報記憶領域１０１９から対応する許可コマンドテーブルを読み出し、更に、Ｓ５０１の処理で入力された操作指示が前記許可コマンドテーブルに記述された操作指示であるか否かを判断すれば良い。【０１２０】
以上の処理により、指定アプリとして記憶（登録）したアプリケーション内での操作指示で且つ許可コマンドテーブルに記述された操作指示は全ての操作者に対して許容され、指定アプリとして記憶（登録）したアプリケーション内での操作指示であっても許可コマンドテーブルに記述されていない操作指示や指定アプリとして記憶（登録）されていないアプリケーションに対する操作指示は操作者が携帯情報端末１００の正規ユーザである場合にのみ許容される。即ち、操作者に応じて端末機能を適宜制限可能な使い勝手の良い携帯情報端末及びその制御方法を提供することができる。【０１２１】
なお、図３Ｄや図６に示したフローチャートにおいても、前述と同様に、タッチスクリーン１８０への操作者のタッチ操作による携帯情報端末１００に対する操作指示入力が許可コマンドであるか否かに応じた制御を適用しても良い。【０１２２】
以上、実施形態の例を実施例１〜４を用いて説明したが、言うまでもなく、本実施形態の技術を実現する構成は前記実施例に限られるものではなく、様々な変形例が考えられる。前述した構成は、それらの一部または全部を、例えば集積回路で設計する等によりハードウェアで実現しても良い。また、マイクロプロセッサユニット等がそれぞれの機能等を実現するプログラムを解釈して実行することによりソフトウェアで実現しても良い。ハードウェアとソフトウェアを併用しても良い。前記ソフトウェアは、製品出荷の時点で、予め携帯情報端末１００のＲＯＭ１０３やストレージ部１１０等に格納された状態であっても良い。製品出荷後に、インターネット上の各種サーバ装置等から取得するものであっても良い。また、メモリカードや光ディスク等で提供される前記ソフトウェアを取得するものであっても良い。
【符号の説明】
【０１２３】
１００…携帯情報端末、１０１…主制御部、１０２…システムバス、１０３…ＲＯＭ、１０４…ＲＡＭ、１１０…ストレージ部、１２０…操作入力部、１２１…操作キー、１２２…タッチセンサ、１２３…タッチパネル、１３０…画像処理部、１３１…表示部、１３２…画像信号処理部、１３３…第一画像入力部、１３４…第二画像入力部、１４０…音声処理部、１５０…センサ部、１６０…通信部、１７０…拡張インタフェース部、１８０…タッチスクリーン、１１０１…基本動作機能部、１１０２…ロック制御機能部、１１０２Ｔ…端末ロック機能部、１１０２Ａ…指定アプリ外ロック機能部、１１０３…ユーザ認証機能部、１１０３Ｐ…ＰＩＮ入力処理部、１１０３Ｆ…顔認証処理部、１１０３Ｈ…指紋認証処理部
【図１Ａ】
2019163115.tif 000003
【図１Ｂ】
2019163115.tif 000004
【図１Ｃ】
2019163115.tif 000005
【図２Ａ】
2019163115.tif 000006
【図２Ｂ】
2019163115.tif 000007
【図２Ｃ】
2019163115.tif 000008
【図２Ｄ】
2019163115.tif 000009
【図３Ａ】
2019163115.tif 000010
【図３Ｂ】
2019163115.tif 000011
【図３Ｃ】
2019163115.tif 000012
【図３Ｄ】
2019163115.tif 000013
【図４】
2019163115.tif 000014
【図５】
2019163115.tif 000015
【図６】
2019163115.tif 000016
【図７】
2019163115.tif 000017
【国際調査報告】
2019163115.tif 000018
2019163115.tif 000019
2019163115.tif 000020
2019163115.tif 000021